(57)【要約】      （修正有）【課題】膝脚を雨除け風除けするために、固定型と又、簡単に取り付け取りはずしも可能とする、カバー具を提供する。【解決手段】雨除け風除けに十分な大きさの、一対のカバー１からなり、取りはずし可能型は、この一対のカバー互いに対峙する内側縁と、それぞれ自転車の車体フレームに着脱可能に固定する固定部２が有り又、固定型は、この一対のカバーを自転車の車体フレームよりハンドル中央付け根近房まで固定を有する。折りたたみや取りはずし可能とした、各カバーの膝前部分は、一対のカバーの各カバーの膝前に設けられ、一対のカバーを互いに結合する結合部３を有する。【選択図】図１
0003130380.tif 000002
【実用新案登録請求の範囲】
【請求項１】
一対のカバーより成り立ち、カバーの長さは、下端がペダルの近房、上端はハンドル中央付け根近房まで設け、カバーの幅は、雨除け又は、風除けに十分な長さを有し、又、それぞれカバーに設けられたカバー固定部は、自転車の前輪と後輪を連結する車体フレームに、着脱可能又は、固定するものとあり、又、一対のカバーを互いに結合する結合部が膝前に設けられていることを特徴とする自転車用膝脚カバー。
【請求項２】
前記固定部は、前記一対のカバーの互いに対峙する内側縁に沿って移動可能であることを特徴とする自転車用膝脚カバー。
【請求項３】
膝前カバーの両端に差し込み受側用具を設けた一面の膝前カバーをロール状に巻付け、ハンドル中央付け根近傍に固定する。ロール状取り出し口に設けた差込側用具を延ばした膝前カバー両端の差込受側用具に結合させ張りのある一面の膝前カバーとする。
膝前カバー両端の差込受側用具と又、ロール状の取り出し口に設けた差込側用具を特徴とした自転車用膝前カバー。
【考案の詳細な説明】
【技術分野】
【０００１】  本考案は、自転車のペダルを踏む脚の前から膝前にカバーを設け又、簡単に取り付け取りはずしも可能とした膝脚前カバー具である。
【背景技術】
【０００２】  自転車降雨時雨傘をさしても膝脚は、濡れるもの、レインコート携帯の問題や又、レインコートを着用すれば蒸れて熱く、不愉快なものである。
【考案の開示】
【考案が解決しようとする課題】
【０００３】  しかしながら、気軽さが、大事な自転車に余分な道具、材料はできるだけ避けたいもの又、色々な型のある自転車に全て対応が出来るかどうか課題であったが、膝脚カバー具は、全て自転車に固定、前述の欠点を解決している。
【課題を解決するための手段】
【０００４】  本考案は、雨除け風除けに十分な大きさの一対のカバーからなり、取りはずし可能型と固定型が有り、取りはずし可能型は、この一対のカバー互いに対峙する内側縁とそれぞれ自転車の車体フレームに着脱可能に固定部を固定する。又、固定型は、この一対のカバーを自転車の車体フレームよりハンドル中央付け根近房まで固定する。折りたたみや取りはずしを可能とした各カバーの膝前部分は、一対のカバーの各カバーの膝前に設けられ、一対のカバーを互いに結合する結合部を設け雨除け風除け問題を解決している。
又、固定膝前カバーの両端に差込受側用具を設けた一面の膝前カバーをロール状に巻付けハンドル中央付け根近傍に固定する。ロール状の取り出し口に設けた差込側用具を延ばした膝前カバー両端の差込受側用具と結合し一面の膝前カバーである。
【考案の効果】
【０００５】  降雨時、雨傘のみではどうしても濡れる膝脚を本考案、雨除け風除けカバーによって前から来る雨風を防ぐことができる。
【考案と実施するための最良の形態】
【０００６】  一対の膝脚カバーは、ペダルを踏む脚の前にカバーし、そのカバーの内側縁を前輪と後輪を結ぶ車体フレームに固定型と又は、着脱可能に固定する。又、膝の前上に設けた膝前カバーは、一対の各カバーの互いの結合部で結合する。又、ロール状に巻付けた一面の膝前カバーを延ばして差込み受側用具とロール状取り出し口に設けた差込側用具を結合させ張りのある一面の膝前カバーとし又、差込をはずしロール状に巻付けて収納する。
【実施例】
【０００７】  以下添付図面に従って、一実施例を説明する。
図１は、雨除け風除けに十分な大きさの一対のカバーを横に折りたたんだ取りはずし可能型である。
樹脂等からなる枠４に耐久性のある防水布等を使用又は、枠無しでビニールやプラスチックを使う、枠４の内側縁に沿って移転可能とした固定部２を前輪と後輪を連結する、車体フレームに着脱可能に固定し又、一対のカバーを互いに膝前上にて結合する図４。
晴天時は、前カゴの上に乗せ、盗難防止カバーとし、使用しない時は、前カゴの前面に金具等で止め反転させて収納する。
図２は、縦と横に折りたたんだ固定型である。
図３は、固定部の斜視図で、５は、切り込みである。切り込み５は、カバー側切込み２に嵌合される。固定部５は、例えば、磁化させることによって、自転車フレームと結合する。
結合手段として、フレームの外形に沿った円弧溝を有するベルトでも良い。
又、固定膝前カバーは、ハンドル中央付け根近房に、ロール状に巻付け固定しその膝前カバーは差込受側ひっかけ用具にロール状の取り出し口に設けた樹脂等からなる差込棒をひっかけ用具に差込み張りのある膝前カバー図６とし又、差込棒をはずしロール状に巻付けて収納する。
【図面の簡単な説明】
【０００８】
【図１】膝脚カバーを、横に折りたたみを延ばし、下面内側に、着脱可能とする、固定具を設けた正面図。
【図２】膝脚カバーを、縦と横に折りたたみを延ばし、下面内側を固定させた正面図。
【図３】前輪と後輪を連結する車体フレームに、設けた固定具の斜面図。
【図４】膝の前上で結合部を結合した正面図。
【図５】膝脚カバーを車体に設けた側面図。
【図６】膝前カバーを車体に設けた側面図。
【図７】差込み受側用具を両端に設けた膝前カバーをロール状より延ばし、取り出し口に設けた差込み側用具を差し込んだ斜面図。
【符号の説明】
【０００９】１  カバー
２  カバー固定具
３  結合部
４  枠
５  切り込み
６  差込側用具
７  差込受側用具
【図１】
0003130380.tif 000003
【図２】
0003130380.tif 000004
【図３】
0003130380.tif 000005
【図４】
0003130380.tif 000006
【図５】
0003130380.tif 000007
【図６】
0003130380.tif 000008
【図７】
0003130380.tif 000009
【手続補正書】
【提出日】平成18年12月16日(2006.12.16)
【手続補正１】
【補正対象書類名】実用新案登録請求の範囲
【補正対象項目名】全文
【補正方法】変更
【補正の内容】
【実用新案登録請求の範囲】
【請求項１】
一対のカバーより成り立ち、カバーの長さは、下端がペダルの近傍、上端はハンドル中央付け根近傍まで設け、カバーの幅は、雨除け又は、風除けに十分な長さを有し、又、それぞれカバーに設けられたカバー固定部は、自転車の前輪と後輪を連結する車体フレームに、着脱可能又は、固定するものとあり、又、一対のカバーを互いに結合する結合部が膝前に設けられていることを特徴とする自転車用膝脚カバー。
【請求項２】
前記カバー固定部は、前記一対のカバーの互いに対峙する内側縁に沿って移動可能であることを特徴とする請求項１に記載の自転車用膝脚カバー。
【請求項３】
膝前カバーの両端に差し込み受側用具を設けた一面の膝前カバーをロール状に巻付け、ハンドル中央付け根近傍に固定し，延ばした膝前カバー両端の前記差し込み受け側用具に結合し得る差し込み側用具が，ロール状に巻き付けられた膝前カバーの取り出し口に設けられたことを、特徴とする請求項１又は、請求項２に記載の自転車膝前カバー。